(57)【要約】  【課題】デスクに対するデスクトップパネルの相対位置がデスクの奥行き方向中央位置に限定されることなく、例えば奥行き方向に沿った天板上の一方の使用端側のワークスペースと、他方の使用端側のワークスペースとの大きさを意図的に異ならせる等、多様な使用態様にも対応可能な家具システムを提供する。  【解決手段】複数人が対面して使用可能な奥行き寸法を有するデスク２と、このデスク２の奥行き方向中央位置に配置可能なデスクトップパネル３と、このデスクトップパネル３の全体又は一部を前記奥行き方向中央位置から外れた位置に変位させて固定するための変位取付具５とを備えた家具システム１とした。【選択図】図１
2010004962.tif 000002
【特許請求の範囲】
【請求項１】
複数人が対面して使用可能な奥行き寸法を有するデスクと、
このデスクの奥行き方向中央位置に配置可能なデスクトップパネルと、
このデスクトップパネルの全体又は一部を前記奥行き方向中央位置から外れた位置に変位させて固定するための変位取付具とを備えていることを特徴とする家具システム。
【請求項２】
前記デスクが、奥行き方向中央位置に他の部位よりも低位となる凹部を有する天板を備えたものであり、
前記変位取付具が、前記凹部に固定され当該凹部内に収まる変位取付具本体と、この変位取付具本体の上面部に一体又は一体的に設けられ前記天板の奥行き方向に沿って延出し且つ天板上に載置可能なアーム部と、このアーム部の先端部に設けられ前記デスクトップパネルを支持する支持部とを備えたものである請求項１記載の家具システム。
【請求項３】
前記凹部が天板の幅方向に沿って延びる配線ダクトであり、
この配線ダクトの一部に固定した前記変位取付具本体を被覆する変位取付具カバーと、
前記配線ダクトのうち、前記変位取付具カバーが被覆し得ない部位を被覆するダクトカバーとを備えてなり、
前記変位取付具に、前記ダクトカバーを、その上面が前記変位取付具カバーの上面と面一又は略面一となる位置に支持するダクトカバー支持部を設けている請求項２記載の家具システム。
【請求項４】
前記デスクが、奥行き方向中央位置に他の部位よりも低位となる凹部を有する天板を備えたものであり、
この凹部に、前記デスクトップパネルをデスクの奥行き方向中央位置に固定可能なセンター位置取付具、及び前記変位取付具の何れもが同一の取付構造を介して取付可能に構成している請求項１、２又は３記載の家具システム。
【請求項５】
前記取付構造が、前記センター位置取付具に設けたネジ挿通孔、又は前記変位取付具に設けたネジ挿通孔に挿通したねじ込み部材を前記凹部に設けたネジ孔にねじ込むことによって、前記センター位置取付具、及び前記変位取付具を前記凹部に取り付けるものである請求項４記載の家具システム。
【発明の詳細な説明】
【技術分野】
【０００１】
本発明は、複数人が使用可能な大型のデスクを備えた家具システムに関するものである。
【背景技術】
【０００２】
従来から、複数の作業者が対面して利用できるようにしたいわゆるフリーアドレス型の大型のデスクを主体としてなる家具システムが知られている。このような家具システムは、デスクの奥行き方向中央位置にデスクトップパネルを配置可能に構成されており、このデスクトップパネルを配置することによって、奥行き方向に沿った天板上の領域を、一方の使用端側のワークスペースと他方の使用端側のワークスペースとに二分できるようにしている（例えば、下記特許文献１参照）。
【特許文献１】特開２００８−１１９４１２号公報
【発明の開示】
【発明が解決しようとする課題】
【０００３】
しかしながら、従来の家具システムは、デスクに対するデスクトップパネルの相対取付位置がデスクの奥行き方向中央位置のみであるため、例えば使用態様によって、奥行き方向に沿った天板上の一方の使用端側のワークスペースを、他方の使用端側のワークスペースよりも広く確保したいという要望には応えることができないものであった。
【０００４】
本発明は、このような課題に着目してなされたものであって、主たる目的は、デスクに対するデスクトップパネルの相対位置がデスクの奥行き方向中央位置に限定されることなく、例えば奥行き方向に沿った天板上の一方の使用端側のワークスペースと、他方の使用端側のワークスペースとの大きさを意図的に異ならせる等、多様な使用態様にも対応可能な家具システムを提供することにある。
【課題を解決するための手段】
【０００５】
すなわち、本発明の家具システムは、複数人が対面して使用可能な奥行き寸法を有するデスクと、このデスクの奥行き方向中央位置に配置可能なデスクトップパネルと、このデスクトップパネルの全体又は一部を前記奥行き方向中央位置から外れた位置に変位させて固定するための変位取付具とを備えていることを特徴とする。
【０００６】
このようなものであれば、デスクの奥行き方向中央位置に配置可能なデスクトップパネルを、変位取付具を用いて奥行き方向中央位置から外れた位置に変位させて固定することにより、例えば奥行き方向に沿ったデスク上における一方の使用端側の領域と、他方の使用端側の領域との広さを意図的に異ならせることができる等、多様な使用態様にも対応可能なものとなる。
【０００７】
また、前記デスクが、奥行き方向中央位置に他の部位よりも低位となる凹部を有する天板を備えたものであり、前記変位取付具が、前記凹部に固定され当該凹部内に収まる変位取付具本体と、この変位取付具本体の上面部に一体又は一体的に設けられ前記天板の奥行き方向に沿って延出し且つ天板上に載置可能なアーム部と、このアーム部の先端部に設けられ前記デスクトップパネルを支持する支持部とを備えたものであれば、変位取付具全体が天板上に露出することを回避することができるとともに、天板の奥行き方向に沿って延出するアーム部が天板上に載置可能なものであるため、このアーム部の先端部に設けた支持部にデスクトップを支持させた場合に、デスクトップパネルの荷重を支持部及び天板で支えることになり、デスクトップパネルの安定した支持状態を保つことができる。
【０００８】
好適な実施態様としては、前記凹部が天板の幅方向に沿って延びる配線ダクトであり、この配線ダクトの一部に固定した前記変位取付具本体を被覆する変位取付具カバーと、前記配線ダクトのうち、前記変位取付具カバーが被覆し得ない部位を被覆するダクトカバーとを備えてなり、前記変位取付具に、前記ダクトカバーを、その上面が前記変位取付具カバーの上面と面一又は略面一となる位置に支持するダクトカバー支持部を設けた態様が挙げられる。
【０００９】
特に、前記デスクが、奥行き方向中央位置に他の部位よりも低位となる凹部を有する天板を備えたものであり、この凹部に、前記デスクトップパネルをデスクの奥行き方向中央位置に固定可能なセンター位置取付具、及び前記変位取付具の何れもが同一の取付構造を介して取付可能に構成していれば、変位取付具を取り付けるための専用の部材や機構を別途設ける必要がない上に、同一の取付構造によりセンター位置取付具と変位取付具とを凹部に取り付けることが可能であるため、使用態様等に応じてセンター位置取付具又は変位取付具の何れかを凹部に取り付けることによってデスクトップパネルの配置位置を変更することができる。
【００１０】
前記取付構造が、前記センター位置取付具に設けたネジ挿通孔、又は前記変位取付具に設けたネジ挿通孔に挿通したねじ込み部材を前記凹部に設けたネジ孔にねじ込むことによって、前記センター位置取付具、及び前記変位取付具を前記凹部に取り付けるものであれば、簡単な取付構造によって、センター位置取付具又は変位取付具を凹部に取り付けることができ、取付作業性の向上に資する。
【発明の効果】
【００１１】
以上説明したように本発明によれば、デスクに対するデスクトップパネルの相対位置がデスクの奥行き方向中央位置に限定されることなく、例えば奥行き方向に沿った天板上の一方の使用端側のワークスペースと、他方の使用端側のワークスペースとの大きさを意図的に異ならせる等、多様な使用態様にも対応可能な家具システムを提供することができる。
【発明を実施するための最良の形態】
【００１２】
以下、本発明の一実施形態を、図面を参照して説明する。
【００１３】
本実施形態に係る家具システム１は、例えば図１及び図２に示すように、複数人が対面して使用可能な奥行き寸法を有するデスク２を主体としてなる。なお、図２は、図１に示す家具システム１の平面図を一部省略して極めて模式的に示したものである。
【００１４】
デスク２は、例えば自席が限定されない所謂フリーアドレス型のオフィス等において用いられる大型のものであり、天板２１と、この天板２１を支持する支持構造体２２とを備えたものである。本実施形態のデスク２は、複数人が横並びで使用可能な幅寸法を有するものである。
【００１５】
天板２１は、図１に示すように、天板要素２１１を複数用いて構成したものである。具体的には、平面視矩形状をなす天板要素２１１を４つ用い、そのうち２枚ずつの天板要素２１１を一組としてそれらの反使用端２１１ｂ同士を向き合わせて配置し、その天板要素２１１の組を隣接させて配置することで、天板２１全体の奥行き方向中央部に各天板要素２１１の反使用端２１１ｂを集合させ、且つ奥行き方向両端部に各天板要素２１１の使用端２１１ａを位置付けている。つまり、天板２１の奥行き方向両端部が何れも使用端となる。なお、以下の説明及び図面では、天板２１の一方の使用端を「使用端２１ａ」とし、他方の使用端を「使用端２１ｂ」とする。天板２１全体の奥行き方向に対をなす天板要素２１１の反使用端２１１ｂ同士の間に隙間を形成し、この隙間を、天板２１の下方空間に配置した配線ダクト２３の配線空間２３Ｓに連通させている（後出の図４参照）。この配線ダクト２３は、天板２１の奥行き方向中央位置であって且つ天板２１の他の部位よりも低位置に設けられるものであり、本発明の「凹部」に相当する。配線ダクト２３は、開閉可能なダクトカバー２４によって被覆されている。また、図１では、デスク２の両サイドにエンドパネル２５を設けた態様を例示しているが、このエンドパネル２５は用途に応じて取り外し可能なものである。
【００１６】
支持構造体２２は、起立姿勢で配され左右一対をなすパネル状の脚体（以下、「パネル脚２２１」と称す）と、一対のパネル脚２２１同士の略中間位置に配される中間脚２２２と、各パネル脚２２１と中間脚２２１との間に横架させた梁フレーム(図示省略)とを備えたものである。
【００１７】
本実施形態の家具システム１は、このような構成をなすデスク２の奥行き方向中央位置に配置可能なデスクトップパネル３を、デスク２の奥行き方向中央位置から変位させた位置に配置できるように構成している。図１に示す家具システム１は、デスク２の幅方向一端部側の領域には、デスク２の奥行き方向中央位置にデスクトップパネル３を配置するとともに、デスク２の幅方向他端部側の領域には、デスク２の奥行き方向中央位置から外れた位置にデスクトップパネル３を配置している。何れのデスクトップパネル３も同一構造をなすものである。
【００１８】
各デスクトップパネル３は、図３に示すように、デスクトップパネル本体３１と、デスクトップパネル本体３１を支持する左右一対のパネル支柱３２とを備えたものである。デスクトップパネル本体３１の幅寸法を天板要素２１１の幅寸法と同一又は略同一の幅寸法に設定している。対をなすパネル支柱３２は、デスクトップパネル３の下端部における両側縁部から下方に延出するものである。図４及び図６に示すように、配線ダクト２３のうちパネル支柱３２が取り付けられる部位にはネジ孔を有する支柱固定部２３１を設け、この支柱固定部２３１を利用して各パネル支柱３２を固定するようにしている。本実施形態では、支柱固定部２３１として、配線ダクト２３のうちパネル支柱３２が配される部位に設けられ下面にナットＮを溶着した水平壁部を適用している。なお、ナットＮがその厚み方向に雌ネジを切ったものであることは言うまでもなく、この雌ネジ（ネジ孔）に連通する連通孔を水平壁部の厚み方向に貫通させて形成している。
【００１９】
デスク２の奥行き方向中央位置にデスクトップパネル３を配置する場合には、図３に示すように、デスクトップパネル３をデスク２の奥行き方向中央位置に固定するためのセンター位置取付具４を用いて各パネル支柱３２を配線ダクト２３に固定し、デスク２の奥行き方向中央位置から外れた位置にデスクトップパネル３を配置する場合には、図４に示すように、デスクトップパネル３をデスク２の奥行き方向中央位置から外れた位置に変位させて固定するための変位取付具５を用いて各パネル支柱３２を配線ダクト２３に固定する。
【００２０】
センター位置取付具４は、図３に示すように、パネル支柱３２の下端部にあてがわれパネル支柱３２を支持する支持部４１と、前記支柱固定部２３１のネジ孔に連通し得るネジ挿通孔４２ａを形成した取付部４２とを一体に有するものである。センター位置取付具４は平面視Ｔ字状又は略Ｔ字状をなし、支持部４１の上面に設けられ上方に突出する上方突起部４１ａを、パネル支柱３２の下端部に設けた上方突起部用挿入孔３２１に挿入するとともに、支持部４１に形成したネジ挿通孔４１ｂとパネル支柱３２の下端部に設けたネジ孔３２２とを一致させた状態でねじ込み部材Ｂ１によりネジ止めすることによって、このセンター位置取付具４を各パネル支柱３２の下端部にそれぞれ一体的に取り付ける。そして、この状態で、各センター位置取付具４をそれぞれ前記支柱固定部２３１に載置し、センター位置取付具４のネジ挿通孔４２ａと、支柱固定部２３１のネジ孔２３１ａとを一致させ、上方からネジ挿通孔４２ａに挿入したねじ込み部材Ｂ２をネジ孔２３１ａにねじ込むことにより、デスクトップパネル３をデスク２の奥行き方向中央位置に固定できるように構成している。なお、図３には、パネル支柱３２の下端部に設けた上方突起部用挿入孔３２１及びネジ孔３２２、ねじ込み部材Ｂ２を示していないが、これら上方突起部用挿入孔３２１及びネジ孔３２２は図６に示すものと同様であり、ねじ込み部材Ｂ２は図４に示すものと同規格のものである。
【００２１】
一方、変位取付具５は、図４〜図７（図５は変位取付具５の平面図であり、図６は図５のＸ方向矢視図であり、図７は図５のＹ方向矢視図である）に示すように、配線ダクト２３の支柱固定部２３１に固定され配線ダクト２３内に収まる変位取付具本体５１と、この変位取付具本体５１の上面部に一体的に設けられ天板２１の奥行き方向に沿って延出し且つ天板２１上に載置可能なアーム部５２と、このアーム部５２の先端部に設けられデスクトップパネル３を支持する支持部５３とを備えたものである。なお、図６及び図７では、天板２１、配線ダクト２３、及びデスクトップパネル３を想像線で一部省略して示している。
【００２２】
本実施形態では、対をなすパネル支柱３２にそれぞれ取り付ける変位取付具５は相互に左右対称形状をなすものであり、図４〜図７には一方のパネル支柱３２に取り付ける変位取付具５を示している。
【００２３】
変位取付具本体５１は、アーム部５２の基端部を支持するベース５１１を主体としてなる。このベース５１１は、起立側壁部５１１ａと、この起立側壁部５１１ａの上下端部からそれぞれ水平方向に延びる上壁部５１１ｂ及び下壁部５１１ｃとを備えたコ字状をなす金属製のものである。そして上壁部５１１ｂにアーム部５２の基端部を載置させた姿勢でネジ止め及び溶接処理を施すことによりベース５１１とアーム部５２とを一体的に取り付けている。つまり、ベース５１１の上壁部５１１ｂが、「変位取付具本体５１の上面部」に相当する。下壁部５１１ｃは、上壁部５１１ｂよりも長尺であり、この下壁部５１１ｃに、変位取付具本体５１を被覆する変位取付具カバー６を支持する変位取付具カバー支持部５１２を載置した状態で一体的に設けている。
【００２４】
変位取付具カバー支持部５１２は、上壁部５１２ａと、上壁部５１２ａの両縁部から垂下させた一対の垂下壁５１２ｂと、各垂下壁５１２ｂの下端から相互に離反する方向に延びる一対の鍔部５１２ｃとを一体に有する概略ハット状をなすものである。一対の鍔部５１２ｃは、ベース５１１の下壁部５１１ｃに載置した状態で溶接処理により一体的に取り付けられている。また、変位取付具カバー支持部５１２は、各垂下壁５１２ｂの基端から相互に離間する方向に延び、ベース５１１の起立側壁部５１１ａに当てた状態で溶接処理が施された一対の補強部５１２ｄを一体に有している。
【００２５】
アーム部５２は、基端部をベース５１１の上壁部５１１ｂに載置した状態で一体的に取り付け、天板２１の奥行き方向に沿って真っ直ぐ延出する平板状のものであり、このアーム部５２の先端部に、平面視においてアーム部５２の延出方向と直交する方向に延出する支持部５３を一体に形成している。
【００２６】
支持部５３は、上方に突出する上方突起部５３１と、厚み方向に貫通するネジ挿通孔５３２とを有し、パネル支柱３２の下端部に設けた上方突起部用挿入孔３２１に上方突起部５３１を挿入するとともに、ネジ挿通孔５３２とパネル支柱３２の下端部に設けたネジ孔３２２とを一致させた状態でねじ込み部材Ｂ１によりネジ止めすることによって、この変位取付具５を各パネル支柱３２の下端部にそれぞれ一体的に取り付けている。なお、図４〜図７には、ねじ込み部材Ｂ１が示されていないが、このねじ込み部材Ｂ１は図３に示すものと同規格のものである。そして、この状態で、変位取付具５を前記支柱固定部２３１に載置し、変位取付具５のうち、前記ベース５１１の下壁部５１１ｂ及び前記変位取付具カバー支持部５１２の鍔部５１２ｃに厚み方向に相互に連通するように設けたネジ挿通孔５１１ｘ、５１２ｘと、支柱固定部２３１のネジ孔２３１ａとを一致させ、上方からネジ挿通孔５１１ｘ、５１２ｘに挿入したねじ込み部材Ｂ２をネジ孔２３１ａにねじ込むことにより、デスクトップパネル３をデスク２の奥行き方向中央位置から外れた位置に固定できるように構成している。この固定状態において、変位取付具５のうち変位取付具本体５１の上面部（ベース５１１の上壁部５１１ｂ）は天板２１の上面よりも低い位置となり、アーム部５２及び支持部５３は天板２１の上面よりも高い位置となり、これらアーム部５２及び支持部５３は天板２１上に載置される。なお、アーム部５２及び支持部５３の下面にはクッショシート５５を貼り付けており（図５参照）、アーム部５２及び支持部５３と天板２１との間にこのクッショシート５５が介在するように構成している。また、本実施形態では、一対のパネル支柱３２を備えたデスクトップパネル３を適用しており、各パネル支柱３２に取り付ける変位取付具５の支持部５３が相寄る方向に延出するように、各変位取付具５のアーム部５２に対する支持部５３の延出方向を設定している。
【００２７】
本実施形態に係る家具システム１は、変位取付具５のうち変位取付具本体５１を被覆する変位取付具カバー６と、配線ダクト２３のうち、変位取付具カバー６が被覆し得ない部位を被覆するダクトカバー２４とを備えている。
【００２８】
変位取付具カバー６は、図４、図８及び図９に示すように、変位取付具カバー支持部５１２に支持されるものであり、変位取付具カバー支持部５１２の上壁部５１２ａに載置されるカバー本体６１と、アーム部５２の下方に潜り込み且つこの変位取付具カバー６が天板２１の幅方向に沿って移動した際にカバー本体６１の縁部がアーム部５２に当たる前に優先して変位取付具本体５１の一部、具体的には変位取付具カバー支持部５１２の補強部５１２ｄに当たる一対の当たり部６２とを備えたものである。カバー本体６１は、変位取付具カバー支持部５１２の上壁部５１２ａ及び対をなす鍔部５１２ｃを上方から被覆し得る大きさに設定された平面視矩形状又は略矩形状をなすものである。変位取付具カバー６は、カバー本体６１の両縁から下方に垂下し且つ変位取付具カバー支持部５１２の補強部５１２ｄに向かって延びる一対の対向壁部６３を備え、各対向壁部６３の先端部を相寄る方向に折り曲げることにより前記一対の当たり部６２を形成している。また、変位取付具カバー６は、ダクトカバー２４の端部と当接又は近接し得るダクトカバー用当たり部６４を備えている。本実施形態では、変位取付具カバー６を、単一の板金を折り曲げ加工及び切除加工して成形している。
【００２９】
ダクトカバー２４は、天板２１の幅方向に沿って延出する長尺のものであり、長手方向両端部を、各変位取付具５に設けたダクトカバー支持部５４にそれぞれ支持させることによって水平姿勢に保たれるものである。また、ダクトカバー２４は、長手方向両端部に緩衝材２４１を一体的に取り付けている（図９参照）。
【００３０】
ダクトカバー支持部５４は、図４等に示すように、ダクトカバー２４と高さ方向に当接又は近接し得る上壁部５４１と、上壁部５４１の両縁部から垂下させた一対の垂下壁５４２と、各垂下壁５４２の下端から相互に離反する方向に延びる一対の鍔部５４３とを一体に有する概略ハット状をなすものであり、一対の鍔部５４３を、ベース５１１の下壁部５１１ｃに載置した状態で溶接処理により一体的に取り付けている。さらに、ダクトカバー支持部５４は、天板２１の幅方向に沿って変位取付具カバー支持部５１２と並ぶ位置に配されている。本実施形態のダクトカバー支持部５４は、変位取付具カバー支持部５１２の上壁部５１２ａ及び垂下壁５１２ｂにそれぞれ内方から添接する上壁添接部５４４及び垂下添接部５４５を備え、これら上壁添接部５４４及び垂下添接部５４５を上壁部５１２ａ及び垂下壁５１２ｂｂに添接させた状態で溶接処理により一体的に取り付けている（図５等参照）。ダクトカバー支持部５４の上壁部５４１は、変位取付具カバー支持部５１２の上壁部５１２ａよりも低くなるように設定されており、この変位取付具カバー支持部５１２の上壁部５１２ａに載置した状態で支持されるダクトカバー２４と、変位取付具カバー支持部５１２の上壁部５１２ａに高さ方向に当接又は近接した状態で支持される変位取付具カバー６とが同一又は略同一高さ位置に位置付けられ、外見上連続するフラットな面を形成する。なお、ダクトカバー支持部５４の上壁部５４１と上壁添接部５４４とは接続部５４６によって一体に接続され、この接続部５４６は、変位取付具カバー支持部５１２に変位取付具カバー６を支持させた状態でダクトカバー用当たり部６４によって被覆される（図４及び図８参照）。
【００３１】
図１及び図２に示す家具システム１は、デスク２の幅方向一端部側の領域に、センター位置取付具４を用いてデスクトップパネル３をデスク２の奥行き方向中央位置に配置しているため、デスク２の奥行き方向一端側、つまり天板２１の一方の使用端２１ａ側の領域と、デスク２の奥行き方向他端側、つまり天板２１の他方の使用端２１ｂ側の領域とを二分する一方で、デスク２の幅方向他端部側の領域に、変位取付具５を用いてデスクトップパネル３をデスク２の奥行き方向中央位置から外れた位置に配置しているため、デスク２の奥行き方向一端側、つまり天板２１の一方の使用端２１ａ側の領域と、デスク２の奥行き方向他端側、つまり天板２１の他方の使用端２１ｂ側の領域とが相互に不均等な広さとなる。
【００３２】
したがって、相対的に広く設定された領域（天板２１の一方の使用端２１ａ側の領域）は、多数の物品又は比較的大型の物品を配置することが要求され、天板２１上の使用可能なフリースペースが必然的に制約され得るワークスペース、例えば、天板２１上に置いた計測機器や各種サンプル等を用いて計測等の研究を行う研究スペースに適した領域となる。また、相対的に狭く設定された領域は、比較的小スペースでも業務に支障を来たさないワークスペース、例えば、出張者やビジターが携帯型情報処理装置（ノート型パーソナルコンピュータ等）を使用するのに適した領域、或いは荷物や備品を置いておく荷物備品置きスペースに適した領域となる。
【００３３】
このように、本実施形態に係る家具システム１は、デスクトップパネル３全体をデスク２の奥行き方向中央位置から外れた位置に変位させて固定するための変位取付具５を備えているため、デスク２の奥行き方向中央位置に配置可能なデスクトップパネル３を、変位取付具５を用いて奥行き方向中央位置から外れた位置に変位させて固定することにより、例えば奥行き方向に沿ったデスク２上（天板２１上）における一方の使用端２１ａ側の領域と、他方の使用端２１ｂ側の領域との広さを意図的に異ならせることができ、多様な使用態様にも対応可能なものとなる。
【００３４】
特に、変位取付具５のうち変位取付具本体５１は配線ダクト２３に固定され配線ダクト２３内に収まるものであるため、変位取付具５全体が天板２１上に露出することを回避することができるとともにと、変位取付具５のうち天板２１の奥行き方向に沿って延出するアーム部５２が天板２１上に載置可能なものであるため、このアーム部５２の先端部に設けた支持部５３にデスク２トップを支持させた状態で、デスクトップパネル３の安定した支持姿勢を保つことができる。
【００３５】
さらに、本実施形態に係る家具システム１は、配線ダクト２３の支柱固定部２３１に固定した変位取付具本体５１を被覆する変位取付具カバー６と、配線ダクト２３のうち、変位取付具カバー６が被覆し得ない部位を被覆するダクトカバー２４とを備えたものであり、変位取付具５に設けたダクトカバー支持部５４にダクトカバー２４を支持させた状態で、ダクトカバー２４の上面と変位取付具カバー６の上面とが面一又は略面一となるようにしているため、良好な外観を呈するものとなる。
【００３６】
加えて、デスクトップパネル３をデスク２の奥行き方向中央位置に固定可能なセンター位置取付具４を配線ダクト２３の支柱固定部２３１に取り付ける取付構造と、変位取付具５を配線ダクト２３の支柱固定部２３１に取り付ける取付構造が同じであるため、変位取付具５を取り付けるための専用の部材や機構を別途設ける必要がない上に、同一の取付構造によりセンター位置取付具４と変位取付具５とを配線ダクト２３に取り付けることが可能であるため、使用態様等に応じてデスクトップパネル３の配置位置を変更する作業もスムーズ且つ容易に行うことができる。
【００３７】
また、センター位置取付具４に設けたネジ挿通孔４２ａ、又は変位取付具５に設けたネジ挿通孔５１１ｘ、５１２ｘに挿通したねじ込み部材Ｂ２を配線ダクト２３に設けたネジ孔２３１ａにねじ込むことによって、センター位置取付具４、又は変位取付具５の何れか一方を配線ダクト２３に取り付けるものであるため、簡素な取付構造によって、センター位置取付具４又は変位取付具５を配線ダクト２３に選択的に取り付けることができ、取付作業性の向上に資する。
【００３８】
なお、本発明は、以上に詳述した実施形態に限られるものではない。
【００３９】
例えば、図１に示すレイアウトに代えて、図１０（ａ）〜（ｃ）に示す各種レイアウトを採用しても構わない。図１０（ａ）は、デスク２の天板２１上の全領域に亘って、天板２１の一方の使用端２１ａ側の領域と、他方の使用端２１ｂ側の領域とを異ならせたレイアウトであり、同図（ｂ）は、デスク２の幅方向一端側の領域では、天板２１の一方の使用端２１ａ側の領域を、他方の使用端２１ｂ側の領域よりも狭く設定し、デスク２の幅方向他端側の領域では、天板２１の一方の使用端２１ａ側の領域を、他方の使用端２１ｂ側の領域よりも広く設定したレイアウトである。また、同図（ｃ）は、デスクトップパネル３’の幅方向一端部を天板２１の一方の使用端２１ａ側に変位させた位置に固定するとともに、デスクトップパネル３’の幅方向一端部を天板２１の他方の使用端２１ｂ側に変位させた位置に固定し、デスクトップパネル３’がデスク２の奥行き中央位置を跨ぐように配置したレイアウトである。この場合、各変位取付具５’は、デスクトップパネル３’の全体ではなく、その一部をデスク２の奥行き方向中央位置から外れた位置に変位させて固定するためのものと言える。このレイアウトの場合は、天板２１の一方の使用端２１ａ側の領域と、他方の使用端２１ｂ側の領域とは同じ広さに設定され、各使用端２１ａ、２１ｂ側から見て奥方に形成される奥まったスペースに例えばディスプレイを置く等してスペースの有効利用を図ることができる。なお、同図（ｃ）に示すデスクトップパネル３’は、前記実施形態や同図（ａ）（ｂ）で示したデスクトップパネル３と比較して幅寸法を大きく設定している点以外はデスクトップパネル３と略同一構造のものであり、また同図（ｃ）に示す変位取付具５’は、例えばアーム部に対する支持部の延出方向を、デスクトップパネル３’と平面視重なり合うように適宜設定している点以外は変位取付具５と略同一構造のものである。このように、変位取付具５、５’を用いてデスク２に対するデスクトップパネル３、３’の相対取付位置を適宜変更することによって種々のレイアウトを採用することができる。
【００４０】
また、変位取付具として、変位取付具本体とアーム部とを一体成形したものを適用してもよい。
【００４１】
また、アーム部の延出程度（延出寸法）を調節可能に構成し、アーム部の延出程度（延出寸法）を変更することによってデスクトップパネルの配置箇所をデスクの奥行き方向に沿って変更できるようにしても構わない。
【００４２】
また、前記実施形態では、「天板の奥行き方向中央位置に他の部位よりも低位となる凹部」として配線ダクトを適用したが、配線ダクトとしての機能は有さない単なる凹部であってもよい。
【００４３】
また、デスクは複数人が対面して使用可能な奥行き寸法を有するものであればよく、４枚以上又は４枚以下の天板要素から構成された天板を備えたもの、或いは単一の大型の天板要素のみで構成された天板を備えたデスクであっても勿論構わない。
【００４４】
その他、各部の具体的構成についても上記実施形態に限られるものではなく、本発明の趣旨を逸脱しない範囲で種々変形が可能である。
【図面の簡単な説明】
【００４５】
【図１】本発明の一実施形態に係る家具システムの全体概略図。
【図２】図１の家具システムの平面を一部省略して模式的に示す図。
【図３】同実施形態におけるデスクトップパネル及びセンター位置取付具を示す図。
【図４】同実施形態における変位取付具をデスクに付帯させた状態を示す図。
【図５】同実施形態における変位取付具の平面図。
【図６】図５のＸ方向矢視図。
【図７】図５のＹ方向矢視図。
【図８】同実施形態において変位取付具本体を変位取付具カバーで被覆した状態を図４に対応させて示す図。
【図９】同実施形態においてさらにダクトカバーを配した状態を図４及び図８に対応させて示す図。
【図１０】同実施形態に係る家具システムの変形例を図２に対応させて示す図。
【符号の説明】
【００４６】
１…家具システム
２…デスク
２１…天板
２３…凹部（配線ダクト）
２４…ダクトカバー
３…デスクトップパネル
４…センター位置取付具
４２ａ…ネジ挿通孔
５…変位取付具
５１…変位取付具本体
５１１ｘ、５１２ｘ…ネジ挿通孔
５２…アーム部
５３…支持部
５４…ダクトカバー支持部
６…変位取付具カバー
Ｂ２…ねじ込み部材
【図１】
2010004962.tif 000003
【図２】
2010004962.tif 000004
【図３】
2010004962.tif 000005
【図４】
2010004962.tif 000006
【図５】
2010004962.tif 000007
【図６】
2010004962.tif 000008
【図７】
2010004962.tif 000009
【図８】
2010004962.tif 000010
【図９】
2010004962.tif 000011
【図１０】
2010004962.tif 000012